(57)【特許請求の範囲】
【請求項１】
床下の排水管に連通するフランジを床面に固定し、該フランジと便器の排水口を、切断して長さ調整できるアジャスター部材を備えた排水ソケットで接続して、排水路が形成された床下排水式水洗便器において、
前記排水路内には、
前記床面の上方のサイフォン発生用の床上絞り部と、前記床面の下方のサイフォン発生用の床下絞り部が形成されてなり、
前記床下絞り部の断面積は、前記床上絞り部の断面積より小さく設定されている
ことを特徴とする床下排水式水洗便器。
【請求項２】
前記床下絞り部は、前記排水ソケットの前記フランジに呑み込ませてある部分に形成されていることを特徴とする請求項１に記載の床下排水式水洗便器。
【請求項３】
前記床下絞り部は、前記フランジの前記排水管に呑み込ませてある部分に形成されていることを特徴とする請求項１に記載の床下排水式水洗便器。
【請求項４】
前記床下絞り部の下流側に、排水を前記排水管の内壁に当てるための傾斜状のガイド路が形成されていることを特徴とする請求項１または請求項２または請求項３に記載の床下排水式水洗便器。
【請求項５】
床下の排水管に連通するフランジを床面に固定し、該フランジと便器の排水口を、切断して長さ調整できるアジャスター部材を備えた排水ソケットで接続して、排水路が形成された床下排水式水洗便器において、
前記排水路内には、
前記床面の上方にサイフォン発生用の床上絞り部が形成されているとともに、前記床面の下方に、前記排水管の内壁に排水を当てるための傾斜状のガイド路が形成され、該ガイド路の断面積は前記床上絞り部の断面積以下に設定されている
ことを特徴とする床下排水式水洗便器。
【請求項６】
前記ガイド路は、前記排水ソケットに形成されていることを特徴とする請求項５に記載の床下排水式水洗便器。
【請求項７】
前記ガイド路は、前記フランジに形成されていることを特徴とする請求項５に記載の床下排水式水洗便器。
【請求項８】
床下の排水管に連通するフランジを床面に固定し、該フランジと便器の排水口を排水ソケットで接続して排水路が形成された床下排水式水洗便器において、
前記排水路内には、
前記床面の上方にサイフォン発生用の床上絞り部が形成されているとともに、前記床面の下方に、前記排水管の内壁に排水を当てるための傾斜状のガイド路が形成され、該ガイド路の断面積は前記床上絞り部の断面積以下に設定されている
ことを特徴とする床下排水式水洗便器。
【発明の詳細な説明】
【技術分野】
【０００１】
本発明は、床下に埋設された排水管に排水する形式の床下排水式水洗便器に関するものである。
【背景技術】
【０００２】
従来、特許文献１に開示されているように、床下の排水管に連通するフランジを床面に固定し、このフランジと便器の排水口を排水ソケットで接続して床下に排水するように構成した床下排水式水洗便器が存在する。ここで、排水ソケットは、便器の排水口に接続される排水口接続部材と、切断して長さ調整できるアジャスター部材と、床下の排水管に接続される排水管接続部材で構成されている。
【先行技術文献】
【特許文献】
【０００３】
【特許文献１】特開２００８−１８４７４５号公報
【発明の概要】
【発明が解決しようとする課題】
【０００４】
上記特許文献１に開示されている床下排水式水洗便器では、排水時にサイフォンを起動させる絞り部が、排水ソケットのアジャスター部材の上流の床面より上方に形成されており、そのため、サイフォンの起動位置と便器のボウル部内の水面との排水の落差が低く、水頭圧が小さいため、サイフォンが弱いものであった。また、排水ソケットのアジャスター部材は後ろに曲がっており、抵抗が大きいため、単位あたりの排水流量が小さくなり、洗浄能力が十分でなく、十分な節水効果が得られにくいという問題点があった。
【課題を解決するための手段】
【０００５】
本発明は、サイフォンを強くできて十分な節水効果が得られる床下排水式水洗便器の提供を目的とし、この目的の少なくとも一部を達成するために以下の手段を採った。
本発明は、床下の排水管に連通するフランジを床面に固定し、該フランジと便器の排水口を、切断して長さ調整できるアジャスター部材を備えた排水ソケットで接続して、排水路が形成された床下排水式水洗便器において、
前記排水路内には、
前記床面の上方のサイフォン発生用の床上絞り部と、前記床面の下方のサイフォン発生用の床下絞り部が形成されてなり、
前記床下絞り部の断面積は、前記床上絞り部の断面積より小さく設定されている
ことを要旨とする。
【発明の効果】
【０００６】
本発明の床下排水式水洗便器では、排水路内に、床面の上方の床上絞り部と、床面の下方の床下絞り部が形成されているため、サイフォンの発生が床上絞り部で早く行われ、また、床下絞り部でもサイフォンが発生されることで、２段階の強いサイフォンを発生させることができ、強力な排水能力が達成されて、節水効果を図ることができるものとなる。
また、床下絞り部の断面積は床上絞り部の断面積よりも小さいために、床下で確実に２段目のサイフォンを起動させることができ、強力なサイフォンとすることができる。
【０００７】
また、本発明の床下排水式水洗便器において、前記床下絞り部は、前記排水ソケットの前記フランジに呑み込ませてある部分に形成されているものとすることもできる。
こうすれば、排水ソケットのフランジに呑み込ませる部分に床下絞り部が形成されて、良好に床下に絞り部を配置することができる。
【０００８】
また、本発明の床下排水式水洗便器において、前記床下絞り部は、前記フランジの前記排水管に呑み込ませてある部分に形成されているものとすることもできる。
こうすれば、床面に固定されるフランジを排水管に呑み込ませて接続することで、床下に良好に床下絞り部を設置させることができるものとなる。
【０００９】
また、本発明の床下排水式水洗便器において、前記床下絞り部の下流側に、排水を前記排水管の内壁に当てるための傾斜状のガイド路が形成されているものとすることもできる。
こうすれば、床下絞り部でサイフォンが発生され、更にその下流側のガイド路内を排水が流れ落ちる際に排水が排水管の内壁に当たるため、これが抵抗となって、床下でのサイフォンの発生を良好に補助することができ、床下で発生されるサイフォン力を向上させることができて、より良好な節水効果が得られるものとなる。
【００１０】
また、本発明は、床下の排水管に連通するフランジを床面に固定し、該フランジと便器の排水口を、切断して長さ調整できるアジャスター部材を備えた排水ソケットで接続して、排水路が形成された床下排水式水洗便器において、
前記排水路内には、前記床面の上方にサイフォン発生用の床上絞り部が形成されているとともに、前記床面の下方に、前記排水管の内壁に排水を当てるための傾斜状のガイド路が形成され、該ガイド路の断面積は前記床上絞り部の断面積以下に設定されていることを要旨とする。
こうすれば、ガイド路内を流れる排水が排水管の内壁に当たることで抵抗となり、これにより床面の下方でサイフォンが発生され、床上絞り部で発生されるサイフォンとガイド路で発生されるサイフォンにより、全体としてサイフォン力が向上し、節水効果が得られるものとなる。
【００１１】
また、床上絞り部とともに床下にガイド路が形成されているタイプの床下排水式水洗便器において、前記ガイド路は、前記排水ソケットに形成されているものとすることもできる。
こうすれば、ガイド路を排水ソケットに形成させて、排水ソケットをフランジに接続することで、ガイド路を床下に良好に配置させることができる。
【００１２】
また、床上絞り部とともに床下にガイド路が形成されているタイプの床下排水式水洗便器において、前記ガイド路は、前記フランジに形成されているものとすることもできる。
こうすれば、フランジを排水管に差し込んで床面に固定することで、床下に良好にガイド路を配置させることができるものとなる。
【００１３】
また、本発明は、床下の排水管に連通するフランジを床面に固定し、該フランジと便器の排水口を排水ソケットで接続して排水路が形成された床下排水式水洗便器において、前記排水路内には、前記床面の上方にサイフォン発生用の床上絞り部が形成されているとともに、前記床面の下方に、前記排水管の内壁に排水を当てるための傾斜状のガイド路が形成され、該ガイド路の断面積は前記床上絞り部の断面積以下に設定されていることを要旨とする。
こうすれば、床上の床上絞り部でサイフォンを早く発生させることができ、また、床下のガイド路で排水に抵抗を与えてサイフォンを発生させることができ、全体としてサイフォン力が向上し、節水効果が得られるものとなる。
【図面の簡単な説明】
【００１４】
【図１】第１実施例の床下排水式水洗便器の全体断面構成図である。
【図２】図１の排水路の構成部材の拡大断面構成図である。
【図３】第２実施例の排水路の構成部材の拡大断面構成図である。
【図４】第３実施例の排水路の構成部材の拡大断面構成図である。
【図５】第４実施例の排水路の構成部材の拡大断面構成図である。
【図６】第５実施例の床下排水式水洗便器の断面構成図である。
【図７】参考例の床下排水式水洗便器の断面構成図である。
【図８】参考例の床下排水式水洗便器の断面構成図である。
【図９】参考例の床下排水式水洗便器の断面構成図である。
【発明を実施するための形態】
【００１５】
次に、本発明を実施するための形態を実施例を用いて説明する。
【実施例１】
【００１６】
図１は、床下排水式水洗便器の断面構成図であり、図２は、排水路の構成部材の拡大断面構成図である。
床下排水式水洗便器の便器本体１の排水口１ｃには排水ソケット５が接続されており、排水ソケット５の下流端はフランジ３内に呑み込ませてあり、フランジ３は、床面Ｆの下に縦方向に埋設された排水管２内に呑み込ませて取り付けられている。
便器本体１は、ボウル部１ａの図示後方（図示左側）に後方側へ上傾状にトラップ流路１ｂが形成され、トラップ流路１ｂの下流側に下向きに排水口１ｃが形成されている。この排水口１ｃから排水ソケット５およびフランジ３を通り排水管２に至る排水路Ｒが形成されている。
【００１７】
排水路Ｒを構成する排水ソケット５は、排水口接続部材６と、アジャスター部材７と、排水管接続部材８で構成されている。
排水口接続部材６は、排水口１ｃにゴムパッキン１２を介在させて接続される上下が開口された筒状構造となっており、排水口接続部材６内に断面積が縮小された床上絞り部Ｐ１が形成されている。
アジャスター部材７は、上方が開口された曲がり部７ａ（一度後方へ偏心して前方側に折り返している）から略水平に延びて延出管７ｂが形成され、曲がり部７ａの上端が排水口接続部材６に接着されてアジャスター部材７は排水口接続部材６に一体化されている。アジャスター部材７の延出管７ｂは、排水管接続部材８に接続される側を切断して長さ調整して、排水管接続部材８の差込部８ａに差し込み状に接続されるものである。なお、延出管７ｂの長さ調整により、排水管２と排水口１ｃ間の位置ずれを吸収することができる。
フランジ３は、床下に埋設された排水管２の上面にネジ４，４により床面Ｆに固定されるものであり、床面Ｆに固定される固定部３ａの中央部に垂下状に筒状の筒部３ｂが一体形成され、この筒部３ｂが排水管２内に差し込まれて排水管２に接続されている。
【００１８】
この床面Ｆに固定されたフランジ３に対して、ガスケット１３を介在させて排水ソケット５の排水管接続部材８が接続されるものであり、本例では、排水管接続部材８の下端に垂下状に連続して呑み込み部９が形成されており、この筒状の呑み込み部９の下端に、更に連続して傾斜状の傾斜筒部１１が一体形成されている。この排水管接続部材８に一体形成された呑み込み部９および傾斜筒部１１は、フランジ３の筒部３ｂの内側に差し込まれて呑み込ませた状態で設置されるものである。
なお、傾斜筒部１１は呑み込み部９の内径よりも縮径して一体化され、傾斜筒部１１の上端側には排水路Ｒを狭める段部１０が形成されて、段部１０の内側部分が断面積が縮小した床下絞り部Ｐ２となっている。この床下絞り部Ｐ２の断面積は、床上絞り部Ｐ１の断面積よりも小さく設定されている。
【００１９】
このような構成の排水路Ｒにおいては、排水時に、トラップ流路１ｂから排水口１ｃに押し込まれる排水が、排水ソケット５の排水口接続部材６内を流下する時に床上絞り部Ｐ１で絞られてサイフォンが発生する。発生したサイフォンにより排水はアジャスター部材７側へ吸引されて、排水管接続部材８を通り呑み込み部９を通って排水管２内に流下されるが、この時に、床下絞り部Ｐ２が形成されているため、この床下絞り部Ｐ２でもサイフォンが発生し、より強力に排水が吸引されて排水管２側へ排水されることとなる。
更に排水は傾斜筒部１１に沿って流下する時に、この傾斜筒部１１内に形成されている傾斜状のガイド路ＲＧ内を流れ落ちて排水管２の内壁に当たるため、この排水管２の内壁に当たった排水には抵抗が生じ、この発生した抵抗によって床下絞り部Ｐ２で発生されるサイフォンのサイフォン力が補助されて、より強力なサイフォン力が発生されることとなる。
【００２０】
このように、床面Ｆの上方の床上絞り部Ｐ１で１段目のサイフォンが発生されるため、この床上絞り部Ｐ１で早期にサイフォンを発生させて排水を排水路Ｒ内に吸引することができ、１段目のサイフォンの継続中に、更に床面Ｆの下方に形成されている床下絞り部Ｐ２およびガイド路ＲＧで２段目のサイフォンが発生されて、洗浄後期において強力に排水を排水管２内に排水することができ、従来よりも少ない水量で強力に排水を行うことができ、節水効果が得られるものとなる。
なお、傾斜筒部１１で形成されるガイド路ＲＧはサイフォンを補助する機能を有するものであり、この傾斜筒部１１およびガイド路ＲＧは省略して、呑み込み部９の下端側に床下絞り部Ｐ２のみを形成させた構造のものとしても良い。
【実施例２】
【００２１】
次に、図３では第２実施例を示す。この図３は、排水路Ｒの構成部材を拡大して示すものであり、便器本体１は図１のものと同様である。
図３の第２実施例では、床下絞り部Ｐ２とガイド路ＲＧをフランジ３に形成させたものである。
排水路Ｒを構成する排水ソケット５は、断面積が縮小された床上絞り部Ｐ１が形成されている排水口接続部材６と、アジャスター部材７と、排水管接続部材８で構成されており、排水管接続部材８の下端は、ガスケット１３を介在させてフランジ３上に連結されるものである。
フランジ３は、ネジ４により床面Ｆに固定される固定部３ａと、固定部３ａの中央部で一体状に垂設された筒部３ｂと、この筒部３ｂ内で内周側へ向かって段状をなす段部３ｃと、この段部３ｃから下方側へ傾斜状に一体形成された傾斜筒部３ｄで構成され、段部３ｃの内側部分が断面積が縮小した床下絞り部Ｐ２となっており、傾斜筒部３ｄ内に傾斜状のガイド路ＲＧが形成されている。なお、フランジ３の床下絞り部Ｐ２の断面積は、排水ソケット５の排水口接続部材６に形成されている床上絞り部Ｐ１の断面積よりも小さく設定されている。
このように排水管２内に筒部３ｂを挿通させて床面Ｆにネジ４を介してフランジ３を固定すると、床面Ｆの下方に床下絞り部Ｐ２とガイド路ＲＧが配置されることとなり、この状態でフランジ３上に排水ソケット５を接続して取り付けることができる。
【００２２】
本例においても、便器本体１側からの排水は排水口１ｃから排水口接続部材６内に流下し、排水口接続部材６内の床上絞り部Ｐ１でサイフォンが発生して、排水はアジャスター部材７側に吸引され、更に排水は床下絞り部Ｐ２で絞られて２段目のサイフォンがこの部分で発生され、更に、床下絞り部Ｐ２下流側の傾斜筒部３ｄに沿って流れる排水が排水管２の壁面に当たることで抵抗となり、この発生した抵抗によって床下絞り部Ｐ２で発生されるサイフォンのサイフォン力が補助されて、より強力なサイフォン力が発生されることとなる。
このように、床上絞り部Ｐ１で発生される１段目のサイフォンと、床下絞り部Ｐ２で発生される２段目のサイフォンにより、より強力に排水を排水管２内に排水させることができ、良好な節水効果が得られるものとなる。
なお、図３において、フランジ３に一体形成されている傾斜筒部３ｄは省略して、フランジ３内に床下絞り部Ｐ２のみを形成させた構造であっても、ほぼ同様な効果を得ることができる。
【実施例３】
【００２３】
次に、図４は第３実施例を示し、排水路を構成する構成部材の拡大断面図である。なお、便器本体は図１のものと同様である。
排水路Ｒは排水ソケット５とフランジ３と排水管２で構成されており、排水ソケット５は、断面積が縮小された床上絞り部Ｐ１が形成されている排水口接続部材６と、アジャスター部材７と、排水管接続部材８で構成され、この排水管接続部材８の下端側には垂下状に呑み込み部９が連続して一体形成されており、呑み込み部９の下端側には傾斜状に傾斜筒部１１が一体形成され、この傾斜筒部１１内に傾斜状のガイド路ＲＧが形成されている。
【００２４】
ネジ４で床面Ｆに固定されるフランジ３は、固定部３ａから垂下状に筒部３ｂが形成され、この筒部３ｂが、床下に埋設された排水管２内に呑み込み状に接続される。
このフランジ３の筒部３ｂの内側に呑み込ませて前記呑み込み部９と傾斜筒部１１が配置されるものである。
【００２５】
このような構造の排水路Ｒにおいても、便器本体１側から排水口１ｃを通り流下される排水は、床上絞り部Ｐ１でサイフォンが発生されて下流側へ吸引され、更に床下の傾斜筒部１１内を流下する際に、排水が排水管２の内壁に当たることで抵抗が生じ、この抵抗により小さいサイフォンが発生されて、床上絞り部Ｐ１のサイフォンと、このガイド路ＲＧでのサイフォンにより、全体としてのサイフォン力が向上することとなり、節水効果が得られるものとなる。
【実施例４】
【００２６】
次に、図５は第４実施例を示す排水路の断面拡大構成図である。
図５では、排水路Ｒは排水ソケット５とフランジ３と排水管２で構成されており、排水ソケット５は、断面積が縮小された床上絞り部Ｐ１が形成されている排水口接続部材６と、アジャスター部材７と、排水管接続部材８で構成され、この排水管接続部材８の下端側には垂下状に呑み込み部９が連続して一体形成されており、呑み込み部９の下端側には内側へ傾斜して排水路Ｒを狭める傾斜部１１ａが一体形成され、この傾斜部１１ａにより排水管接続部材８の下端側に床下絞り部Ｐ２が形成されている。この床下絞り部Ｐ２の断面積は、前記床上絞り部Ｐ１の断面積より小さく設定されている
ネジ４で床面Ｆに固定されるフランジ３は、固定部３ａから垂下状に筒部３ｂが形成され、この筒部３ｂが、床下に埋設された排水管２内に呑み込み状に接続される。
このフランジ３の筒部３ｂの内側に呑み込ませて前記呑み込み部９と傾斜部１１ａが配置されるものである。
本例においても、便器本体１側からの排水は排水口１ｃから排水口接続部材６内に流下し、排水口接続部材６内の床上絞り部Ｐ１でサイフォンが発生して、排水はアジャスター部材７側に吸引され、更に排水は床下絞り部Ｐ２で絞られて２段目のサイフォンがこの部分で発生され、より強力なサイフォン力が発生されることとなる。
【実施例５】
【００２７】
次に、図６は第５実施例を示すものであり、図６では、排水管２内に差し込まれたフランジ３の筒部３ｂの内側に、傾斜状に下方側に向かって徐々に縮径する傾斜部３ｅを一体形成したものであり、この傾斜部３ｅの内側に、床下絞り部Ｐ２と傾斜状のガイド路ＲＧが形成されている。
なお、排水路Ｒを構成する排水ソケット５は、断面積が縮小された床上絞り部Ｐ１が形成されている排水口接続部材６と、アジャスター部材７と、排水管接続部材８で構成され、排水管接続部材８の下端は、ガスケット１３を介在させてフランジ３上に連結されるものである。
このような構成においても、便器本体１側からの排水は排水口１ｃから排水口接続部材６内に流下し、排水口接続部材６内の床上絞り部Ｐ１でサイフォンが発生されるとともに、床下の傾斜部３ｅの内側を流れる排水が排水管２の内壁に当たることで抵抗が加わり、更に床下絞り部Ｐ２で絞られて、この部分でサイフォンが発生し、全体としてサイフォン力が向上し、節水効果が得られるものとなる。
【００２８】
次に、図７は参考例を示すものであり、参考例では、床面Ｆに埋設された排水管２に差し込み状に接続されるフランジ３を床面Ｆにネジ４で固定し、このフランジ３に対しガスケット１３を介在させて便器本体１の排水口１ｃを接続したものである。
即ち、便器本体１は、ボウル部１ａから後方側へ上傾してトラップ流路１ｂが形成され、トラップ流路１ｂの後端側から垂下状に垂下路１ｄが形成され、この垂下路１ｄの下端側に縮径した床上絞り部Ｐ１が形成され、更にこの床上絞り部Ｐ１から略水平に水平路１ｆが便器本体１内に形成されて、便器本体１内に排水路Ｒが形成されたものである。
【００２９】
便器本体１の排水口１ｃにガスケット１３を介在させて接続されるフランジ３は、床面Ｆに固定される固定部３ａの中央部に垂下状に筒部３ｂが一体形成され、筒部３ｂから内側へ突出して縮径した段部３ｃが一体形成され、この段部３ｃにより断面積が縮小した床下絞り部Ｐ２が形成されている。この床下絞り部Ｐ２から下方側へ傾斜状に傾斜筒部３ｄが一体形成されており、この傾斜筒部３ｄ内に傾斜状のガイド路ＲＧが形成されている。
床下絞り部Ｐ２の断面積は便器本体１内の床上絞り部Ｐ１の断面積よりも小さく設定されており、また、ガイド路ＲＧの断面積は床上絞り部Ｐ１の断面積以下に設定されている。
【００３０】
このように床下絞り部Ｐ２と傾斜筒部３ｄを一体形成したフランジ３を床面Ｆに固定して、フランジ３に便器本体１の排水口１ｃを接続することで、排水時に、トラップ流路１ｂに押し込まれる排水が、垂下路１ｄの床上絞り部Ｐ１で絞られてサイフォンが発生する。発生したサイフォンにより排水は吸引されて、水平路１ｆを通り排水口１ｃからフランジ３の筒部３ｂ内に流下されるが、この時に床下絞り部Ｐ２が形成されているため、この床下絞り部Ｐ２でもサイフォンが発生し、より強力に排水が吸引されて排水管２側へ排水されることとなる。
更に排水は傾斜筒部３ｄに沿って流下する時に、この傾斜筒部３ｄ内に形成されている傾斜状のガイド路ＲＧ内を流れ落ちて排水管２の内壁に当たるため、この排水管２の内壁に当たった排水には抵抗が生じ、この発生した抵抗によって床下絞り部Ｐ２で発生されるサイフォンのサイフォン力が補助されて、より強力なサイフォン力が発生されることとなる。
【００３１】
また、このようなタイプでは、旧便器のフランジ３を、この図７のような形状のフランジ３に取り換えるだけで節水を図れるものとなる。
なお、床下絞り部Ｐ２および傾斜筒部３ｄはフランジ３の筒部３ｂ内に別体で形成したものであっても良い。また、更には床下絞り部Ｐ２のみで傾斜筒部３ｄの存在しない形状のものであっても良い。
【００３２】
次に、図８は参考例を示すものであり、床下に埋設された排水管２に接続されるフランジ３の筒部３ｂの内側に、傾斜状に下方側に向かって縮径する傾斜部３ｅを一体で設け、傾斜部３ｅの内側に、床下絞り部Ｐ２とガイド路ＲＧを形成させたものである。
このようなフランジ３をネジ４を介して床面Ｆに固定させて排水管２に接続状に取り付け、この状態でガスケット１３を介在させてフランジ３上に便器本体１の排水口１ｃを配置させて接続することができる。
このような構成においても、排水時に、トラップ流路１ｂに押し込まれる排水が、垂下路１ｄの床上絞り部Ｐ１で絞られてサイフォンが発生し、発生したサイフォンにより排水は吸引されて、水平路１ｆを通り排水口１ｃからフランジ３の筒部３ｂ内に流下されるが、この時に、傾斜部３ｅが下方に向かって縮径されているため、床下絞り部Ｐ２の部分でサイフォンが発生することとなり、さらにガイド路ＲＧに沿って流れる排水が排水管２の内壁に当たることで抵抗が生じ、全体としてサイフォン力が向上し、節水効果が得られるものとなる。
【００３３】
次に、図９は参考例を示すものである。
本例では、排水管２に差し込み状にして床面Ｆに固定されるフランジ３は、固定部３ａと垂下状の筒部３ｂで構成されており、この筒部３ｂ内に、別体の挿着部材１４を挿着させたものである。
挿着部材１４は、フランジの筒部３ｂの内周にほぼ密着状に挿着される筒部１４ａの内側に、下方に向かって傾斜状に縮径するガイド路ＲＧを形成させる傾斜部１４ｂが一体形成されたものである。
このようにフランジ３内に別体の挿着部材１４を挿着することで、フランジ３の筒部３ｂの内周側に、床下絞り部Ｐ２と傾斜状のガイド路ＲＧを形成させることができ、このような構成においても、排水時に、トラップ流路１ｂに押し込まれる排水が、垂下路１ｄの床上絞り部Ｐ１で絞られてサイフォンが発生し、発生したサイフォンにより排水は吸引されて、水平路１ｆを通り排水口１ｃから挿着部材１４内に流下されるが、この時に、傾斜部１４ｂが下方に向かって縮径されているため、床下絞り部Ｐ２の部分でサイフォンが発生することとなり、さらにガイド路ＲＧに沿って流れる排水が排水管２の内壁に当たることで抵抗が生じ、全体としてサイフォン力が向上し、節水効果が得られるものとなる。
なお、このような構造では、別体の挿着部材１４を既存のフランジ３に取り付けることで、良好な節水効果が図れるものとなる。
【符号の説明】
【００３４】
１  便器本体
１ａ  ボウル部
１ｂ  トラップ流路
１ｃ  排水口
１ｄ  垂下路
１ｆ  水平路
２  排水管
３  フランジ
３ａ  固定部
３ｂ  筒部
３ｃ  段部
３ｄ  傾斜筒部
３ｅ  傾斜部
４  ネジ
５  排水ソケット
６  排水口接続部材
７  アジャスター部材
７ａ  曲がり部
７ｂ  延出管
８  排水管接続部材
９  呑み込み部
１０  段部
１１  傾斜筒部
１１ａ  傾斜部
１４  挿着部材
１４ａ  筒部
１４ｂ  傾斜部
Ｐ１  床上絞り部
Ｐ２  床下絞り部
Ｒ  排水路
ＲＧ  ガイド路
【図１】
0005495653.tif 000002
【図２】
0005495653.tif 000003
【図３】
0005495653.tif 000004
【図４】
0005495653.tif 000005
【図５】
0005495653.tif 000006
【図６】
0005495653.tif 000007
【図７】
0005495653.tif 000008
【図８】
0005495653.tif 000009
【図９】
0005495653.tif 000010